(57)【要約】【課題】スリーブをスリーブハウジングに適切に接着する。【解決手段】スリーブユニット２２の製造では、スリーブ２２１をスリーブハウジング２２２に接着する際に、スリーブ２２１の一方の端面２２５がスリーブ保持部５１に当接しつつスリーブ保持部５１に向かって中心軸Ｊ１に沿って付勢され、スリーブハウジング２２２におけるスリーブ２２１の端面２２５とは反対側の端面２２６がスリーブハウジング保持部５２に当接しつつスリーブハウジング保持部５２に向かって中心軸Ｊ１に沿って付勢される。これにより、スリーブ２２１のスリーブ保持部５１に対する位置、および、スリーブハウジング２２２のスリーブハウジング保持部５２に対する位置を維持しつつ、スリーブ２２１の円筒状の外側面をスリーブハウジング２２２の円筒状の内側面に適切に接着してスリーブユニット２２を製造することが実現される。【選択図】図７
2006292164.tif 000002
【特許請求の範囲】
【請求項１】
モータにおいてシャフトが挿入されるスリーブとスリーブの外周に取り付けられるスリーブハウジングとを備えるスリーブユニットの製造方法であって、
ａ）所定の中心軸を中心とするスリーブの外側面、および／または、前記中心軸を中心とする内側面を有するスリーブハウジングの前記内側面に接着剤を塗布する工程と、
ｂ）前記スリーブを保持する工程と、
ｃ）前記スリーブハウジングの前記中心軸方向における一方の端部を前記スリーブの前記中心軸方向における一方の端部とは反対側の他方の端部と対向させつつ前記スリーブハウジングを保持する工程と、
ｄ）前記スリーブを前記スリーブハウジングに対して前記中心軸方向に相対的に移動し、前記スリーブを前記他方の端部側から前記スリーブハウジング内に挿入して、前記スリーブおよび前記スリーブハウジングを第１位置決め部材および第２位置決め部材にそれぞれ当接させつつ、前記スリーブを前記接着剤により前記スリーブハウジングの前記内側面に接着する工程と、
を備え、
前記ｄ）工程において、前記スリーブの前記一方の端部または前記他方の端部が、前記第１位置決め部材に当接するとともに、前記第１位置決め部材に向かって前記中心軸に沿って付勢され、前記中心軸方向に関して前記スリーブに対する付勢方向とは反対側を向く前記スリーブハウジングの面が、前記第２位置決め部材に当接するとともに、前記第２位置決め部材に向かって前記中心軸に沿って付勢されることを特徴とするスリーブユニットの製造方法。
【請求項２】
請求項１に記載のスリーブユニットの製造方法であって、
前記スリーブの前記一方の端部に流体動圧軸受面が形成されていることを特徴とするスリーブユニットの製造方法。
【請求項３】
請求項１または２に記載のスリーブユニットの製造方法であって、
前記スリーブの前記他方の端部の外周縁、および／または、前記スリーブハウジングの前記中心軸方向における他方の端部の内周縁が、角部が除去された形状とされ、
前記ｄ）工程において、前記スリーブの挿入により押し出された前記接着剤が、前記角部が除去された形状により前記スリーブと前記スリーブハウジングとの間に形成された凹部に収容されることを特徴とするスリーブユニットの製造方法。
【請求項４】
請求項３に記載のスリーブユニットの製造方法であって、
前記スリーブの前記外周縁、および／または、前記スリーブハウジングの前記内周縁が、前記中心軸を中心とする環状の傾斜面を有する面取り形状とされ、
前記傾斜面の前記中心軸方向の長さが０．０５ｍｍ以上０．５ｍｍ以下であり、前記中心軸方向に垂直な方向の幅が前記長さの０．１７倍以上２．７５倍以下であることを特徴とするスリーブユニットの製造方法。
【請求項５】
請求項３または４に記載のスリーブユニットの製造方法であって、
前記スリーブが、原材料を加圧成形した多孔質部材であることを特徴とするスリーブユニットの製造方法。
【請求項６】
請求項５に記載のスリーブユニットの製造方法であって、
前記スリーブの前記他方の端部の前記外周縁における前記角部が除去された形状が前記スリーブの形成時に同時に形成されることを特徴とするスリーブユニットの製造方法。
【請求項７】
請求項３ないし６のいずれかに記載のスリーブユニットの製造方法であって、
前記スリーブハウジングの前記他方の端部が前記中心軸に垂直な流体動圧軸受面を有することを特徴とするスリーブユニットの製造方法。
【請求項８】
請求項３ないし６のいずれかに記載のスリーブユニットの製造方法であって、
前記スリーブの前記他方の端部が流体動圧軸受面を有することを特徴とするスリーブユニットの製造方法。
【請求項９】
請求項１ないし８のいずれかに記載のスリーブユニットの製造方法であって、
前記スリーブハウジングが略円筒状であり、前記スリーブハウジングの前記一方の端部近傍の肉厚が、前記スリーブハウジングの前記中心軸方向における他方の端部近傍の肉厚よりも薄いことを特徴とするスリーブユニットの製造方法。
【請求項１０】
請求項９に記載のスリーブユニットの製造方法であって、
前記スリーブハウジングの前記他方の端部近傍の外周部が、流体動圧軸受機構においてテーパシール用の間隙を構成する部分の一部であることを特徴とするスリーブユニットの製造方法。
【請求項１１】
請求項９または１０に記載のスリーブユニットの製造方法であって、
前記スリーブハウジングの前記一方の端部近傍が、モータのステータ部のベースプレートに固定されることを特徴とするスリーブユニットの製造方法。
【請求項１２】
請求項１ないし１１のいずれかに記載のスリーブユニットの製造方法であって、
前記接着剤が、嫌気性および光硬化性を有する接着剤であることを特徴とするスリーブユニットの製造方法。
【請求項１３】
軸受機構を有するモータのシャフトが挿入されるスリーブとスリーブの外周に取り付けられるスリーブハウジングとを備えるスリーブユニットであって、
請求項１ないし１２のいずれかに記載のスリーブユニットの製造方法により製造されたことを特徴とするスリーブユニット。
【請求項１４】
軸受機構を有するモータであって、
シャフトと前記シャフトの周囲に配置された界磁用磁石とを有するロータ部と、
前記ロータ部を回転可能に支持するステータ部と、
を備え、
前記ステータ部が、
前記シャフトが挿入される請求項１３に記載のスリーブユニットと、
前記界磁用磁石との間で前記スリーブユニットの前記中心軸を中心とするトルクを発生する電機子と、
を備えることを特徴とするモータ。
【発明の詳細な説明】
【技術分野】
【０００１】
本発明は、軸受機構を有するモータおよびモータのスリーブユニットに関し、特に、スリーブユニットを製造する技術に関連する。
【背景技術】
【０００２】
従来より、ハードディスク装置等の記録ディスク駆動装置は、記録ディスクを回転駆動するスピンドルモータ（以下、「モータ」という。）を備えており、モータの軸受機構の１つとして、流体動圧を利用する軸受機構が近年採用されている。このような、流体動圧を利用する軸受機構では、シャフトとシャフトが挿入されるスリーブとの間等にスラスト軸受部およびラジアル軸受部が構成される。
【０００３】
特許文献１のモータでは、スリーブの外周に取り付けられた円筒状のハウジングがブラケットに固着され、スリーブおよびハウジング（以下、２つをまとめて「スリーブユニット」という。）とスリーブユニットに挿入されるシャフトを含むロータとの間にオイルの動圧を利用した軸受機構が構成される。特許文献１のモータでは、シャフトの外側面とスリーブの内側面との間にラジアル軸受部が構成される。また、スリーブの下端面とシャフト下端に設けられたスラストプレートの上面との間、および、スラストプレートの下面とハウジングの下端に取り付けられたスラストブッシュの上面との間にスラスト軸受部が構成され、ハウジングの上端面とシャフト上端に設けられた円板状のシールブッシュとの間に、オイルにシャフト方向への押し込み圧を発生させる動シール部が構成される。
【０００４】
また、特許文献２では、所定の中心軸に沿ってスリーブが挿入されるとともに、中心軸方向に関してスリーブの一端側の端面と当接する環状の部位を有するスリーブハウジングにおいて、スリーブの外側面に対向する内側面に環状の溝を設けることにより、スリーブをスリーブハウジングに挿入する際に、スリーブとスリーブハウジングとの固定に用いられる接着剤の不要な部位への回り込みを防止する手法が開示されている。
【０００５】
なお、特許文献３の段落００２５には、スーパーインバー（SUPER-INVAR）の粉末をポリエチレン系樹脂からなるバインダと混練した後、射出成形にて中間体を形成し、この中間体を焼成して固化する、いわゆるメタルインジェクションモールド工法にて、ラジアル滑り軸受を形成する手法が開示されている。
【特許文献１】特開２００３−２６２２１７号公報
【特許文献２】特開２００４−１７６８１６号公報
【特許文献３】特開平８−７４６３号公報
【発明の開示】
【発明が解決しようとする課題】
【０００６】
ところで、流体動圧を利用する軸受機構のスリーブユニットを製造する際には、通常、軸受部を構成するスリーブの表面が歪むことを防止するために、特許文献２に開示されているように、スリーブとスリーブハウジングとの間に僅かな隙間をあけてスリーブをスリーブハウジング内に挿入し、接着剤を介してスリーブをスリーブハウジングに接着することが行われている。しかしながら、特許文献１のモータのように、円筒状のスリーブハウジングにスリーブを固定する場合には、スリーブハウジングの内部においてスリーブの中心軸方向の移動を係止する部位が存在しないため、スリーブを所望の位置に接着により固定することは容易ではない。
【０００７】
また、このようなスリーブユニットの製造方法では、接着剤がスリーブの挿入によりスリーブハウジング内から押し出されてスリーブ、スリーブハウジング、スラストプレート等の表面の不要な箇所に付着したり、製造用の治具を汚してしまう恐れがある。特許文献１のスリーブユニットでは、軸方向の上側においてハウジングの上端面が動シール部を構成し、軸方向の下側においてスリーブの下端面がスラスト軸受部を構成しており、仮に、ハウジング内から押し出された接着剤が、ハウジングの上端面やスリーブの下端面に付着したとすると、軸受機構において所望のスラスト動圧力を得ることができず、モータの品質が低下してしまう。
【０００８】
さらに、スリーブとスリーブハウジングとの間の間隙はごく僅かであるため、スリーブハウジング内へのスリーブの挿入時にスリーブおよびスリーブハウジングが損傷することを防止するには、過大な力を付与することなく滑らかにスリーブを挿入する必要がある。
【０００９】
本発明は、上記課題に鑑みなされたものであり、スリーブをスリーブハウジングの内側面に適切に接着してスリーブユニットを製造することを目的とし、これにより、スリーブユニットを有するモータの品質を安定させることも目的としている。
【課題を解決するための手段】
【００１０】
請求項１に記載の発明は、モータにおいてシャフトが挿入されるスリーブとスリーブの外周に取り付けられるスリーブハウジングとを備えるスリーブユニットの製造方法であって、ａ）所定の中心軸を中心とするスリーブの外側面、および／または、前記中心軸を中心とする内側面を有するスリーブハウジングの前記内側面に接着剤を塗布する工程と、ｂ）前記スリーブを保持する工程と、ｃ）前記スリーブハウジングの前記中心軸方向における一方の端部を前記スリーブの前記中心軸方向における一方の端部とは反対側の他方の端部と対向させつつ前記スリーブハウジングを保持する工程と、ｄ）前記スリーブを前記スリーブハウジングに対して前記中心軸方向に相対的に移動し、前記スリーブを前記他方の端部側から前記スリーブハウジング内に挿入して、前記スリーブおよび前記スリーブハウジングを第１位置決め部材および第２位置決め部材にそれぞれ当接させつつ、前記スリーブを前記接着剤により前記スリーブハウジングの前記内側面に接着する工程とを備え、前記ｄ）工程において、前記スリーブの前記一方の端部または前記他方の端部が、前記第１位置決め部材に当接するとともに、前記第１位置決め部材に向かって前記中心軸に沿って付勢され、前記中心軸方向に関して前記スリーブに対する付勢方向とは反対側を向く前記スリーブハウジングの面が、前記第２位置決め部材に当接するとともに、前記第２位置決め部材に向かって前記中心軸に沿って付勢される。
【００１１】
請求項２に記載の発明は、請求項１に記載のスリーブユニットの製造方法であって、前記スリーブの前記一方の端部に流体動圧軸受面が形成されている。
【００１２】
請求項３に記載の発明は、請求項１または２に記載のスリーブユニットの製造方法であって、前記スリーブの前記他方の端部の外周縁、および／または、前記スリーブハウジングの前記中心軸方向における他方の端部の内周縁が、角部が除去された形状とされ、前記ｄ）工程において、前記スリーブの挿入により押し出された前記接着剤が、前記角部が除去された形状により前記スリーブと前記スリーブハウジングとの間に形成された凹部に収容される。
【００１３】
請求項４に記載の発明は、請求項３に記載のスリーブユニットの製造方法であって、前記スリーブの前記外周縁、および／または、前記スリーブハウジングの前記内周縁が、前記中心軸を中心とする環状の傾斜面を有する面取り形状とされ、前記傾斜面の前記中心軸方向の長さが０．０５ｍｍ以上０．５ｍｍ以下であり、前記中心軸方向に垂直な方向の幅が前記長さの０．１７倍以上２．７５倍以下である。
【００１４】
請求項５に記載の発明は、請求項３または４に記載のスリーブユニットの製造方法であって、前記スリーブが、原材料を加圧成形した多孔質部材である。
【００１５】
請求項６に記載の発明は、請求項５に記載のスリーブユニットの製造方法であって、前記スリーブの前記他方の端部の前記外周縁における前記角部が除去された形状が前記スリーブの形成時に同時に形成される。
【００１６】
請求項７に記載の発明は、請求項３ないし６のいずれかに記載のスリーブユニットの製造方法であって、前記スリーブハウジングの前記他方の端部が前記中心軸に垂直な流体動圧軸受面を有する。
【００１７】
請求項８に記載の発明は、請求項３ないし６のいずれかに記載のスリーブユニットの製造方法であって、前記スリーブの前記他方の端部が流体動圧軸受面を有する。
【００１８】
請求項９に記載の発明は、請求項１ないし８のいずれかに記載のスリーブユニットの製造方法であって、前記スリーブハウジングが略円筒状であり、前記スリーブハウジングの前記一方の端部近傍の肉厚が、前記スリーブハウジングの前記中心軸方向における他方の端部近傍の肉厚よりも薄い。
【００１９】
請求項１０に記載の発明は、請求項９に記載のスリーブユニットの製造方法であって、前記スリーブハウジングの前記他方の端部近傍の外周部が、流体動圧軸受機構においてテーパシール用の間隙を構成する部分の一部である。
【００２０】
請求項１１に記載の発明は、請求項９または１０に記載のスリーブユニットの製造方法であって、前記スリーブハウジングの前記一方の端部近傍が、モータのステータ部のベースプレートに固定される。
【００２１】
請求項１２に記載の発明は、請求項１ないし１１のいずれかに記載のスリーブユニットの製造方法であって、前記接着剤が、嫌気性および光硬化性を有する接着剤である。
【００２２】
請求項１３に記載の発明は、軸受機構を有するモータのシャフトが挿入されるスリーブとスリーブの外周に取り付けられるスリーブハウジングとを備えるスリーブユニットであって、請求項１ないし１２のいずれかに記載のスリーブユニットの製造方法により製造されたものである。
【００２３】
請求項１４に記載の発明は、軸受機構を有するモータであって、シャフトと前記シャフトの周囲に配置された界磁用磁石とを有するロータ部と、前記ロータ部を回転可能に支持するステータ部とを備え、前記ステータ部が、前記シャフトが挿入される請求項１３に記載のスリーブユニットと、前記界磁用磁石との間で前記スリーブユニットの前記中心軸を中心とするトルクを発生する電機子とを備える。
【発明の効果】
【００２４】
本発明によれば、スリーブの第１位置決め部材に対する位置、および、スリーブハウジングの第２位置決め部材に対する位置を維持しつつ、スリーブをスリーブハウジングの内側面に適切に接着してスリーブユニットを製造することができ、これにより、当該スリーブユニットを有するモータの品質も安定させることができる。
【００２５】
また、請求項２の発明では、スリーブの一方の端部側の流体動圧軸受面に接着剤が付着することを防止することができ、請求項３ないし５の発明では、接着剤がスリーブおよびスリーブハウジングの他方の端面に溢れることを防止する、または、接着剤の盛り上がりを抑制することができる。
【００２６】
また、請求項６の発明では、スリーブの製造を簡素化することができ、請求項７の発明では、スリーブハウジングの流体動圧軸受面に接着剤が付着することを防止することができる。
【００２７】
また、請求項８の発明では、スリーブの他方の端部側の流体動圧軸受面に接着剤が付着することを防止することができ、請求項９の発明では、スリーブをスリーブハウジング内に容易に挿入することができる。
【００２８】
また、請求項１０の発明では、モータにおいて潤滑油の流出を防止するテーパシールを構成することが可能なスリーブユニットを製造することができ、請求項１２および１３の発明では、スリーブユニットの製造を簡素化することができる。
【発明を実施するための最良の形態】
【００２９】
図１は、本発明の第１の実施の形態に係る電動式のスピンドルモータ１（以下、「モータ１」という。）を備える記録ディスク駆動装置６０の内部構成を示す図である。記録ディスク駆動装置６０はハードディスク装置であり、情報を記録する円板状の記録ディスク６２、記録ディスク６２に対する情報の書き込みおよび（または）読み出しを行うアクセス部６３、記録ディスク６２を保持して回転する電動式のモータ１、並びに、記録ディスク６２、アクセス部６３およびモータ１を内部空間１１０に収容するハウジング６１を備える。
【００３０】
図１に示すように、ハウジング６１は、上部に開口を有するとともにモータ１およびアクセス部６３が内側の底面に取り付けられる無蓋箱状の第１ハウジング部材６１１、並びに、第１ハウジング部材６１１の開口を覆うことにより内部空間１１０を形成する板状の第２ハウジング部材６１２を備える。記録ディスク駆動装置６０では、第１ハウジング部材６１１に第２ハウジング部材６１２が接合されてハウジング６１が形成され、内部空間１１０は塵や埃が極度に少ない清浄な空間とされる。
【００３１】
記録ディスク６２は、モータ１の上側に載置されてクランパ６２１によりモータ１に固定される。アクセス部６３は、記録ディスク６２に近接して情報の書き込みおよび読み出しを磁気的に行うヘッド６３１、ヘッド６３１を支持するアーム６３２、並びに、アーム６３２を移動させることによりヘッド６３１と記録ディスク６２との相対的位置を変更するヘッド移動機構６３３を有する。これらの構成により、ヘッド６３１は回転する記録ディスク６２に近接した状態で記録ディスク６２の所要の位置にアクセスし、情報の書き込みおよび読み出しを行う。
【００３２】
図２は、ディスク駆動用のモータ１の構成を示す縦断面図である。図２では、モータ１の中心軸Ｊ１（後述のスリーブユニット２２の中心軸でもある。）を含む面における断面を示すが、切断面よりも奥側に位置する構成についても、その一部を破線にて描いている。
【００３３】
図２に示すように、モータ１は、固定組立体であるステータ部２、および、回転組立体であるロータ部３を備えており、ロータ部３は、潤滑油による流体動圧を利用した軸受機構を介して中心軸Ｊ１を中心にステータ部２に対して回転可能に支持される。以下の説明では、便宜上、中心軸Ｊ１に沿ってロータ部３側を上側、ステータ部２側を下側として説明するが、中心軸Ｊ１は必ずしも重力方向と一致する必要はない。
【００３４】
ロータ部３は、ロータ部３の各部を保持するロータハブ３１、および、ロータハブ３１に取り付けられて中心軸Ｊ１の周囲に配置される界磁用磁石３４を備える。ロータハブ３１は、ステンレス等により一体的に形成されており、中心軸Ｊ１を中心とする略円筒状であって下側（すなわち、ステータ部２側）に突出するシャフト３１１、シャフト３１１の上端部から中心軸Ｊ１に対して垂直に広がる略円板状の円板部３１２、および、円板部３１２の外縁において下側に突出する略円筒状の円筒部３１３を備える。シャフト３１１の下側の先端部には、略円板状のスラストプレート３１４が取り付けられる。
【００３５】
ステータ部２は、ステータ部２の各部を保持するベース部であるベースプレート２１、ロータ部３のシャフト３１１が挿入されるとともにロータ部３を回転可能に支持する軸受機構の一部である略円筒状のスリーブユニット２２、および、スリーブユニット２２の周囲にてベースプレート２１に取り付けられる電機子２４を備える。ベースプレート２１は、第１ハウジング部材６１１（図１参照）の一部であり、アルミニウム、アルミニウム合金、または、磁性もしくは非磁性の鉄系金属の板状部材をプレス加工することにより第１ハウジング部材６１１の他の部位と一体的に形成される。電機子２４は、シャフト３１１の周囲に配置された界磁用磁石３４との間で中心軸Ｊ１を中心とする回転力（トルク）を発生する。
【００３６】
電機子２４は、圧入または接着によりベースプレート２１に上側から取り付けられており、複数の珪素鋼板を積層してなるコア２４１、および、コア２４１の所定の部位に設けられる複数のコイル２４２を備える。コア２４１は、中心軸Ｊ１を中心に放射状に配置された複数のティース２４３、および、複数のティース２４３の外周側から複数のティース２４３を支持する（すなわち、各ティース２４３の中心軸Ｊ１から遠い側の端部を連結して支持する）円環状の支持リング２４４を備える。コア２４１を形成する各珪素鋼板では、複数のティース２４３および支持リング２４４のそれぞれに対応する部位が一体的に形成されているため、複数のティース２４３および支持リング２４４は磁気的に接続されている。
【００３７】
コイル２４２は、ティース２４３に導線を多層（例えば、２層）に巻回することにより形成され、各コイル２４２からの導線は、隣接するティース２４３の間に形成される渡り線係止用のフック２４７を介して回路基板２４８へと導かれ、回路基板２４８の電極に半田にて接合される。
【００３８】
ベースプレート２１の中央部には、中心軸Ｊ１を中心としてロータ部３に向かって上向きに突出する略円筒状のスリーブ取付部２１６が設けられる。図２に示すように、スリーブユニット２２は、中心軸Ｊ１を中心とする略円筒状であってシャフト３１１が挿入されるスリーブ２２１、および、スリーブ２２１の外周に取り付けられる略円筒状のスリーブハウジング２２２を備え、スリーブ取付部２１６に挿入されてベースプレート２１に取り付けられる。
【００３９】
スリーブハウジング２２２の下端部近傍の肉厚は上端部近傍の肉厚よりも薄くされる。また、スリーブハウジング２２２の上部には、スリーブユニット２２の外周に沿って中心軸Ｊ１に対して外側に突出する突起部であるフランジ部２２４が一体的に形成されており、スリーブユニット２２の取り付け時には、フランジ部２２４のベースプレート２１側の部位とベースプレート２１のスリーブ取付部２１６の先端とが上下方向に関して係合する。スリーブユニット２２の下端側の開口は、略円板状のシールキャップ２３により閉塞される。
【００４０】
図３は、スリーブユニット２２の一部（図２における左半分）を拡大して示す縦断面図である。図３に示すように、スリーブユニット２２では、スリーブ２２１は、スリーブハウジング２２２の内側面２２２１との間に僅かな隙間をあけて挿入されており（すなわち、すきまばめされており）、嫌気性および光硬化性を有する接着剤２２０（例えば、株式会社スリーボンド製の１３５５（製品名））を介してスリーブハウジング２２２に固定されている。
【００４１】
スリーブ２２１は多孔質部材であり、粉末状の原材料を型に入れて押し固めることにより加圧成形した後に焼結し、焼結された部材を再度型に入れて圧縮することにより形成される。原材料としては、様々な種類の金属粉末や金属化合物粉末、非金属粉末等（例えば、鉄（Ｆｅ）および銅（Ｃｕ）の混合粉末、銅およびスズ（Ｓｎ）の混合粉末、銅、スズおよび鉛（Ｐｂ）の混合粉末、鉄および炭素（Ｃ）の混合粉末）が利用される。
【００４２】
スリーブ２２１では、上端部の外周縁（すなわち、中心軸Ｊ１（図２参照）方向に関して後述の第１流体動圧軸受面２２５とは反対側の端部の外周縁であり、以下、「スリーブ上部外周縁」という。）、および下端部の外周縁（以下、「スリーブ下部外周縁」という。）が、角部が除去された形状とされる。図３に示すように、スリーブ上部外周縁およびスリーブ下部外周縁は、中心軸Ｊ１を中心とする環状（具体的には、円錐台形の側面状）の第１スリーブ傾斜面２２１１および第２スリーブ傾斜面２２１２を有する面取り形状とされ、当該面取り形状は、上述のスリーブ２２１の形成時に同時に形成される。
【００４３】
第１スリーブ傾斜面２２１１の中心軸Ｊ１方向の長さＬ１は、好ましくは０．０５ｍｍ以上０．５ｍｍ以下（より好ましくは、０．２ｍｍ〜０．３ｍｍ）とされる。第２スリーブ傾斜面２２１２の中心軸Ｊ１方向の長さＬ２は、好ましくは０．０５ｍｍ以上０．５ｍｍ以下（より好ましくは、０．１ｍｍ〜０．２ｍｍ）とされる。また、第１スリーブ傾斜面２２１１の中心軸Ｊ１方向に垂直な方向の幅Ｗ１は、好ましくは、中心軸Ｊ１方向の長さＬ１の０．１７倍以上２．７５倍以下（より好ましくは、１倍）とされ、第２スリーブ傾斜面２２１２の中心軸Ｊ１方向に垂直な方向の幅Ｗ２は、好ましくは、中心軸Ｊ１方向の長さＬ２の０．１７倍以上２．７５倍以下（より好ましくは、１倍）とされる。
【００４４】
次に、モータ１のロータ部３をステータ部２に回転可能に支持する流体動圧を利用した軸受機構について説明する。図４は、モータ１の一部（図２の左半分）を拡大して示す縦断面図である。図４に示すように、モータ１では、ロータハブ３１の円板部３１２の下面とスリーブハウジング２２２の上側の端面との間、スリーブ２２１の内側面とシャフト３１１の外側面との間、スリーブ２２１の下側の端面とスラストプレート３１４の上面との間、スラストプレート３１４の下面とシールキャップ２３の上面との間、および、スリーブハウジング２２２のフランジ部２２４の外側面とロータハブ３１の円筒部３１３の内側面との間に微小な間隙が設けられる。以下、これらの間隙をそれぞれ、「上部間隙４１」、「側部間隙４２」、「第１下部間隙４３」、「第２下部間隙４４」、「外側間隙４５」という。これらの間隙には潤滑油が連続して充填され、いわゆるフルフィル構造の軸受機構が構成される。
【００４５】
スリーブハウジング２２２のフランジ部２２４の外側面は、その外径が下側に向かって漸次減少する傾斜面とされ、フランジ部２２４の外側面に対向するロータハブ３１の円筒部３１３の内側面の内径は一定とされる。これにより、外側間隙４５における潤滑油の界面は、毛管現象および表面張力によりメニスカス状となってテーパシールが形成され、外側間隙４５がオイルバッファとしての役割を果たして潤滑油の流出が防止される。
【００４６】
スリーブ２２１の中心軸Ｊ１方向の下側の中心軸Ｊ１に垂直な端面２２５、および、スリーブハウジング２２２の上側の中心軸Ｊ１に垂直な端面２２６には、ロータ部３の回転時に潤滑油に対して中心軸Ｊ１側に向かう圧力を発生させるための溝（例えば、スパイラル状の溝）が形成されており、第１下部間隙４３および上部間隙４１によりスラスト動圧軸受部が構成される。換言すれば、端面２２５および端面２２６はともに流体動圧軸受面となる。以下、スリーブ２２１の下側の端面２２５を「第１流体動圧軸受面２２５」といい、スリーブハウジング２２２の上側の端面２２６を「第２流体動圧軸受面２２６」という。
【００４７】
また、側部間隙４２の互いに対向する面の一方には、潤滑油に流体動圧を発生させるための溝（例えば、中心軸Ｊ１の向く方向に関して、スリーブ２２１の内側面の上下に設けられたヘリングボーン溝等）が形成されており、側部間隙４２によりラジアル動圧軸受部が構成される。
【００４８】
モータ１では、流体動圧を利用する軸受機構によりロータ部３を潤滑油を介して非接触にて支持することにより、ロータ部３を高精度、かつ、低騒音にて回転することができる。特に、フルフィル構造の軸受機構では、軸受内部に空気が介在しないため、潤滑油内に発生した気泡に起因するシャフト３１１とスリーブ２２１との異常接触や、軸受内部の空気が膨張することによる潤滑油の漏れ等が一層抑制される。また、モータ１では、スリーブ２２１が粉末状の原材料を加圧成形した多孔質部材とされるため、軸受機構において高い保持力にて潤滑油を保持することができるとともに潤滑油中のパーティクル等の不純物を吸着して潤滑油を清浄に保つことができる。
【００４９】
このように、モータ１では、スリーブユニット２２（すなわち、スリーブ２２１およびスリーブハウジング２２２）、ロータハブ３１並びにシールキャップ２３の間に形成される間隙（すなわち、上部間隙４１、側部間隙４２、第１下部間隙４３、第２下部間隙４４および外側間隙４５）に、流体である潤滑油が充填されており、ロータ部３の回転時には、潤滑油による流体動圧を利用してロータ部３が支持される。そして、ロータ部３が中心軸Ｊ１を中心としてステータ部２に対して回転されることより、ロータ部３に取り付けられる記録ディスク６２（図１参照）が回転される。
【００５０】
次に、スリーブユニット２２の製造について説明する。図５は、スリーブユニット２２を製造するスリーブユニット製造装置５を示す断面図である。図５に示すように、スリーブユニット製造装置５は、スリーブ２２１を吸引吸着して保持する略円柱状のスリーブ保持部５１、スリーブ２２１の中心軸Ｊ１（すなわち、製造後におけるスリーブユニット２２の中心軸Ｊ１）を中心としてスリーブハウジング２２２を保持するスリーブハウジング保持部５２、スリーブ保持部５１をスリーブハウジング保持部５２に対して中心軸Ｊ１方向に相対的に移動する移動機構５３（シャフトのみを図示する。）、および、移動機構５３によるスリーブ保持部５１の移動を規制する（すなわち、移動範囲を制限する）２つの移動規制部５４を備える。移動規制部５４は、スリーブ保持部５１およびスリーブハウジング保持部５２の間に挟まれることによりスリーブ保持部５１の移動を規制する円柱状の部材である。
【００５１】
スリーブユニット製造装置５では、スリーブ保持部５１に保持されたスリーブ２２１を、スリーブハウジング２２２内に挿入して固定することによりスリーブユニット２２が形成される。図５に示すように、スリーブユニット製造装置５では、スリーブ２２１およびスリーブハウジング２２２が、モータ１のベースプレート２１に取り付けられた状態とは上下反対に保持されているが、以下の説明におけるスリーブユニット２２の上下は、これまでの説明と同様に、スリーブユニット２２がベースプレート２１に取り付けられた状態における上下を意味するものとし、図５の上下方向とは逆になる。
【００５２】
スリーブ保持部５１は、スリーブ２２１の第１流体動圧軸受面２２５に当接する第１当接面５１１を備え、スリーブ保持部５１の内部には、スリーブ２２１を吸引吸着するための微小な複数の吸引路（図示省略）が形成されている。スリーブハウジング保持部５２は、スリーブハウジング２２２の第２流体動圧軸受面２２６に当接する第２当接面５２１を備え、スリーブハウジング２２２の第２流体動圧軸受面２２６とは反対側の端部をスリーブ２２１の第１流体動圧軸受面２２５とは反対側の端部と対向させつつスリーブハウジング２２２を保持する。
【００５３】
スリーブユニット製造装置５は、スリーブ２２１のスリーブハウジング２２２への取り付け時に、スリーブ２２１の第１流体動圧軸受面２２５をスリーブ保持部５１の第１当接面５１１に向かって付勢する第１付勢機構５５をスリーブハウジング保持部５２側に備え、さらに、スリーブハウジング２２２の第２流体動圧軸受面２２６をスリーブハウジング保持部５２の第２当接面５２１に向かって付勢する第２付勢機構５６をスリーブ保持部５１の周りに備える。
【００５４】
第１付勢機構５５は、スリーブハウジング保持部５２の第２当接面５２１に形成された円形の開口からスリーブ保持部５１側へと突出するとともにスリーブハウジング２２２内に第２流体動圧軸受面２２６側から挿入される略円柱状の第１付勢部材５５１、および、第１付勢部材５５１のスリーブ保持部５１側とは反対側に設けられる弾性部材である第１コイルばね５５２を備える。第２付勢機構５６は、スリーブ保持部５１の周囲に配置される略円筒状の第２付勢部材５６１、および、第２付勢部材５６１のスリーブハウジング保持部５２とは反対側に設けられる弾性部材である第２コイルばね５６２を備える。
【００５５】
図６は、スリーブユニット２２の製造の流れを示す図である。スリーブユニット製造装置５によりスリーブユニット２２が製造される際には、まず、スリーブハウジング２２２の内側面２２２１（後述するように、スリーブ２２１の外側面であってもよい。）に接着剤２２０が塗布される（ステップＳ１１）。続いて、スリーブ２２１が、第１流体動圧軸受面２２５を第１当接面５１１に当接させつつスリーブ保持部５１により吸着保持され（ステップＳ１２）、スリーブハウジング２２２が、第２流体動圧軸受面２２６を第２当接面５２１に当接させつつスリーブハウジング保持部５２により保持される（ステップＳ１３）。
【００５６】
スリーブ２２１およびスリーブハウジング２２２が保持されると、移動機構５３によりスリーブ保持部５１がスリーブハウジング保持部５２に近づけられ、スリーブハウジング２２２内へのスリーブ２２１の挿入が開始される（ステップＳ１４）。このとき、スリーブ２２１は、第１流体動圧軸受面２２５とは反対側からスリーブハウジング２２２内に挿入される。
【００５７】
やがて、スリーブハウジング２２２内に挿入されたスリーブ２２１の第１流体動圧軸受面２２５とは反対側の端面が、第１付勢機構５５の第１付勢部材５５１に当接し、第１付勢部材５５１がスリーブ２２１に押圧されることにより第１コイルばね５５２が弾性変形するとともにスリーブ２２１の第１流体動圧軸受面２２５がスリーブ保持部５１の第１当接面５１１に向かって付勢される。第１コイルばね５５２のばね定数は、スリーブ保持部５１がスリーブハウジング保持部５２に最も近接した状態（後述の図７参照）においても、第１コイルばね５５２の弾力によりスリーブ保持部５１がスリーブハウジング保持部５２から離れる方向に移動しないように決定されている。なお、第１付勢機構５５によりスリーブ２２１が第１当接面５１１に付勢された後は、スリーブ保持部５１によるスリーブ２２１の吸着が停止されてもよい。
【００５８】
また、スリーブ２２１の第１付勢部材５５１への当接と前後してスリーブハウジング２２２の第２流体動圧軸受面２２６とは反対側の端面が、第２付勢機構５６の第２付勢部材５６１に当接する。そして、第２付勢部材５６１がスリーブハウジング２２２に押圧されることにより第２コイルばね５６２が弾性変形するとともにスリーブハウジング２２２の第２流体動圧軸受面２２６がスリーブハウジング保持部５２の第２当接面５２１に向かって付勢される。
【００５９】
スリーブユニット製造装置５では、図７に示すように、スリーブハウジング保持部５２の第２当接面５２１上に設けられた規制部受部５２２に移動規制部５４の先端が当接することにより、スリーブ保持部５１の移動が規制されてスリーブ２２１のスリーブハウジング２２２内への挿入が停止される（ステップＳ１５）。
【００６０】
スリーブユニット製造装置５では、スリーブ保持部５１の第１当接面５１１とスリーブハウジング保持部５２の第２当接面５２１との間の中心軸Ｊ１方向に関する距離が、スリーブ２２１の第１流体動圧軸受面２２５とスリーブハウジング２２２の第２流体動圧軸受面２２６との間の中心軸Ｊ１方向に関する距離（以下、「軸受面間距離」という。）の設計値（以下、「設計距離」という。）に等しくなったときにスリーブ保持部５１の移動が規制されるように移動規制部５４の中心軸Ｊ１方向の長さが決定されている。これにより、スリーブユニット２２の軸受面間距離が、設計距離（許容誤差を含む。）と等しくなるように精度良く決定される。スリーブユニット２２では、軸受面間距離の許容誤差が１５μｍ以下とされる。
【００６１】
スリーブ保持部５１の移動が規制されると、スリーブ２２１およびスリーブハウジング２２２が所定の時間（例えば、２分間）だけ保持され、スリーブ２２１の外側面２２１３とスリーブハウジング２２２の内側面２２２１との間において外気との接触が断たれた嫌気性の接着剤２２０（図３参照）が硬化し、スリーブ２２１がスリーブハウジング２２２の内側面２２２１に固定（接着）される（ステップＳ１６）。
【００６２】
スリーブユニット２２では、図３に示すように、スリーブ２２１のスリーブハウジング２２２内への挿入により第２流体動圧軸受面２２６側へと押し出された接着剤２２０が、スリーブ上部外周縁において、スリーブ２２１の第１スリーブ傾斜面２２１１とスリーブハウジング２２２の内側面２２２１との間に形成された凹部２２３に収容される。換言すれば、スリーブ２２１の上部外周縁の角部が除去された形状により形成された凹部２２３は、スリーブ２２１の挿入により押し出された接着剤２２０が収容されるいわゆる接着剤溜まりとなる。そして、接着剤２２０の凹部２２３に収容された部分に紫外線等が照射されて硬化され、スリーブユニット２２の製造が終了する（ステップＳ１７）。
【００６３】
スリーブユニット２２の製造では、スリーブハウジング２２２の内側面２２２１への接着剤２２０の塗布（ステップＳ１１）に代えて、スリーブ２２１の外側面２２１３に接着剤２２０が塗布されてもよい。また、スリーブ２２１の外側面２２１３、および、スリーブハウジング２２２の内側面２２２１の双方に接着剤２２０が塗布されてもよい。スリーブ２２１の外側面２２１３および／またはスリーブハウジング２２２の内側面２２２１への接着剤２２０の塗布（ステップＳ１１）は、スリーブハウジング２２２内へのスリーブ２２１の挿入を開始する工程（ステップＳ１４）よりも前に行われるのであればいつ行われてもよく、例えば、スリーブ２２１およびスリーブハウジング２２２の保持（ステップＳ１２，Ｓ１３）の後に行われてもよい（後述する図８および図９の例、並びに、第２の実施の形態についても同様）。
【００６４】
以上に説明したように、スリーブユニット製造装置５によるスリーブユニット２２の製造では、スリーブ２２１をスリーブハウジング２２２内に挿入して接着する際に、図３におけるスリーブ２２１の下側の端面（図５において上側となる第１流体動圧軸受面）２２５が一の位置決め部材であるスリーブ保持部５１の第１当接面５１１に当接しつつ第１当接面５１１に向かって付勢され、図３におけるスリーブハウジング２２２の上側の端面（図５において下側となる第２流体動圧軸受面）２２６が他の位置決め部材であるスリーブハウジング保持部５２の第２当接面５２１に当接しつつ第２当接面５２１に向かって付勢される。これにより、スリーブ２２１の基準面である端面２２５のスリーブ保持部５１に対する位置、および、スリーブハウジング２２２の基準面である端面２２６のスリーブハウジング保持部５２に対する位置を維持しつつ、スリーブ２２１の円筒状の外側面をスリーブハウジング２２２の円筒状の内側面に接着してスリーブユニット２２を適切に製造することが実現される。
【００６５】
スリーブユニット２２の製造では、スリーブ２２１が第１流体動圧軸受面２２５とは反対側からスリーブハウジング２２２内に挿入されるため、接着剤２２０が第１流体動圧軸受面２２５に付着することを防止することができる。また、スリーブ２２１のスリーブ上部外周縁が角部が除去された形状とされ、スリーブ２２１の挿入により押し出された接着剤２２０が収容される凹部２２３が形成されることにより、第１流体動圧軸受面２２５とは反対側において、接着剤２２０がスリーブ２２１およびスリーブハウジング２２２の端面に溢れることを防止する、または、接着剤２２０が第１流体動圧軸受面２２５とは反対側に盛り上がることを抑制することができる。その結果、中心軸Ｊ１方向に関してスリーブハウジング２２２のスリーブ２２１が挿入される側と反対側の端面である第２流体動圧軸受面２２６に接着剤２２０が付着することを防止することができ、歩留まりを向上することができる。
【００６６】
また、スリーブユニット２２の製造では、接着剤２２０の凹部２２３に収容された部分が、スリーブ２２１の上端側（すなわち、第１流体動圧軸受面２２５とは反対側）において硬化されて楔の役割を果たすため、スリーブ２２１に加えられる上向きの荷重に対して、スリーブ２２１とスリーブハウジング２２２との接着強度を高めることができる。その結果、スリーブ２２１とスリーブハウジング２２２との中心軸Ｊ１方向の締結長が比較的短い場合であっても、スリーブ２２１を強固にスリーブハウジング２２２に固定することができ、スリーブユニット２２の中心軸Ｊ１方向の長さを短くしてモータ１を薄型化することができる。
【００６７】
スリーブ２２１の製造では、スリーブ２２１の形成後にスリーブ上部外周縁に面取り加工を施すことなく、スリーブ２２１の形成時に同時にスリーブ上部外周縁を角部が除去された形状とすることができる。その結果、スリーブ２２１の製造を簡素化することができ、スリーブユニット２２の製造コストを低減することができる。
【００６８】
スリーブユニット２２の製造では、スリーブ２２１のスリーブハウジング２２２への固定に嫌気性の接着剤２２０が用いられるため、スリーブ２２１をスリーブハウジング２２２内に挿入した状態で所定時間だけ保持することのみにより、スリーブ２２１をスリーブハウジング２２２に固定することができ、スリーブユニット２２の製造を簡素化することができる。
【００６９】
スリーブ２２１を固定する接着剤としては、熱硬化性のもの（例えば、エポキシテクノロジー社製の３５３ＮＤ（製品名））が利用されてもよい。この場合、スリーブハウジング２２２およびスリーブハウジング２２２内に挿入されたスリーブ２２１を治具で保持した状態で、例えば、９０℃の高温槽内に１時間載置することにより接着剤を硬化させる。熱硬化性接着剤を利用した場合、スリーブ２２１の外側面２２１３とスリーブハウジング２２２の内側面２２２１との間の接着剤、および、凹部２２３に収容された接着剤の双方を加熱工程にて同時に硬化させることができるため、スリーブユニット２２の製造を簡素化することができる。
【００７０】
スリーブユニット２２の製造では、スリーブ２２１がすきまばめによりスリーブハウジング２２２に取り付けられることにより、スリーブハウジング２２２内へのスリーブ２２１の挿入時に、スリーブ２２１の外側面２２１３とスリーブハウジング２２２の内側面２２２１とが擦れ合うことが防止される。これにより、スリーブ２２１の第１流体動圧軸受面２２５やスリーブハウジング２２２の第２流体動圧軸受面２２６、あるいは、ラジアル軸受部を構成するスリーブ２２１の内側面が歪むことを防止することができる。このように、スリーブハウジング２２２との摩擦を防止しつつスリーブ２２１をスリーブハウジング２２２に容易に挿入することができるスリーブユニット製造装置５は、無垢材に比べて比較的脆弱な多孔質部材であるスリーブ２２１のスリーブハウジング２２２への取り付けに特に適している。
【００７１】
スリーブユニット２２では、スリーブハウジング２２２の下端部（すなわち、ベースプレート２１に取り付けられた状態における下端部であり、スリーブ２２１が挿入される側の端部）近傍の肉厚が上端部近傍の肉厚よりも薄くされている。これにより、スリーブ保持部５１おけるスリーブ２２１の吸着位置が僅かにずれる等、何らかの原因によりスリーブ２２１の挿入の際にスリーブ２２１がスリーブハウジング２２２の下端部の内周エッジに接触することがあっても、接触により生じる抵抗が、上端部側からスリーブ２２１を挿入する場合に比べて小さくなるため、スリーブ２２１をスリーブハウジング２２２内に容易に挿入することができる。
【００７２】
スリーブユニット製造装置５では、スリーブ２２１のスリーブハウジング２２２内への挿入時に、移動規制部５４によりスリーブ保持部５１の移動を規制することにより、中心軸Ｊ１方向におけるスリーブ２２１とスリーブハウジング２２２との位置決めを精度良く行うことができる。これにより、スリーブ２２１に中心軸Ｊ１に垂直な第１流体動圧軸受面２２５を有し、スリーブハウジング２２２の第１流体動圧軸受面２２５とは反対側に第２流体動圧軸受面２２６を有するスリーブユニット２２を備えるモータ１において、スリーブユニット２２の軸受面間距離を精度良く決定することができ、軸受機構の上部間隙４１および第１下部間隙４３において安定したスラスト動圧力を得ることができる。その結果、モータ１の品質を安定させることができる。このように、軸受面間距離を精度良く決定しつつスリーブユニットを製造することができるスリーブユニット製造装置５は、軸受面間距離の許容誤差が１５μｍ以下とされるスリーブユニット２２の製造に特に適している。
【００７３】
また、スリーブユニット製造装置５では、スリーブハウジング２２２内へのスリーブ２２１の挿入時に、第１付勢機構５５により第１流体動圧軸受面２２５が第１当接面５１１に付勢され、第２付勢機構５６により第２流体動圧軸受面２２６が第２当接面５２１に付勢され、さらに、第１当接面５１１と第２当接面５２１との間の距離に基づいてスリーブ２２１の移動が規制されることにより、スリーブユニット２２の軸受面間距離を容易に精度良く決定することができる。さらに、第１流体動圧軸受面２２５と第２流体動圧軸受面２２６との平行度も精度良く決定することができる。
【００７４】
スリーブユニット２２のスリーブ２２１は、金属粉末等の原材料を加圧成形し、さらに焼結して形成されるため、無垢材のスリーブに比べて中心軸Ｊ１方向の長さの製造誤差が大きい。スリーブユニット製造装置５では、第１流体動圧軸受面２２５と第２流体動圧軸受面２２６との間の距離に基づいてスリーブ２２１およびスリーブハウジング２２２の位置決めを行うため、中心軸Ｊ１方向の長さに比較的大きな製造誤差（例えば、２５μｍ〜３５μｍ）を有するスリーブ２２１を利用する場合であっても、軸受面間距離を精度良く決定しつつスリーブユニット２２を製造することができる。特に、第１付勢機構５５において第１付勢部材５５１を弾性体である第１コイルばね５５２により支持しているため、スリーブユニット２２を連続的に製造する際に、準備された複数のスリーブ２２１の中心軸Ｊ１方向の長さが互いに異なる場合であっても、長さが異なる各スリーブ２２１の第１流体動圧軸受面２２５を第１当接面５１１に適切に付勢することができる。なお、スリーブユニット２２の設計によっては、スリーブ２２１およびスリーブハウジング２２２が樹脂成型品として形成されたり、切削や研削を含む工程、あるいは、既述の特許文献３（特開平８−７４６３号公報）に記載のメタルインジェクションモールド（ＭＩＭ）工法にて形成されてもよい（後述する第２の実施の形態において同様）。
【００７５】
スリーブユニット製造装置５では、移動規制部５４として、スリーブ保持部５１とスリーブハウジング保持部５２との間に挟まれることによりスリーブ保持部５１の移動を規制する部材が利用されることにより、スリーブユニット製造装置５の構造を簡素化することができる。
【００７６】
次に、他の例に係るモータのスリーブユニット２２ａの製造について説明する。図８は、スリーブユニット２２ａの一部を示す縦断面図である。図８に示すように、スリーブユニット２２ａでは、スリーブ上部外周縁に代えて、スリーブハウジング２２２の上端部の内周縁（すなわち、中心軸Ｊ１（図２参照）方向に関してスリーブ２２１が挿入される側とは反対側の端部の内周縁であり、以下、「スリーブハウジング内周縁」という。）が角部が除去された形状とされる。その他の構成は図３と同様であり、以下の説明において同符号を付す。また、スリーブユニット２２ａの製造に利用されるスリーブユニット製造装置５の構成、および、スリーブユニット２２ａの製造の流れも、図５および図６と同様である。
【００７７】
図８に示すように、スリーブユニット２２ａでは、スリーブハウジング内周縁は、面取り加工により中心軸Ｊ１を中心とする環状（具体的には、円錐台形の側面状）のスリーブハウジング傾斜面２２２２を有する面取り形状とされる。スリーブハウジング傾斜面２２２２の中心軸Ｊ１方向の長さＬ３は、好ましくは０．０５ｍｍ以上０．５ｍｍ以下（より好ましくは、０．２ｍｍ〜０．３ｍｍ）とされ、スリーブハウジング傾斜面２２２２の中心軸Ｊ１方向に垂直な方向の幅Ｗ３は、好ましくは、中心軸Ｊ１方向の長さＬ３の０．１７倍以上２．７５倍以下（より好ましくは、１倍）とされる。
【００７８】
スリーブユニット２２ａが製造される際には、まず、第１の実施の形態と同様に、スリーブハウジング２２２の内側面２２２１（および／またはスリーブ２２１の外側面２２１３）に接着剤２２０が塗布され（図６：ステップＳ１１）、スリーブ２２１およびスリーブハウジング２２２が、スリーブユニット製造装置５（図５参照）のスリーブ保持部５１およびスリーブハウジング保持部５２により保持される（ステップＳ１２，Ｓ１３）。
【００７９】
続いて、移動機構５３によりスリーブ保持部５１がスリーブハウジング保持部５２に近づけられ、スリーブハウジング２２２内へのスリーブ２２１の挿入が開始される（ステップＳ１４）。このとき、スリーブ２２１は、第１流体動圧軸受面２２５とは反対側からスリーブハウジング２２２内に挿入される。そして、スリーブ２２１の第１流体動圧軸受面２２５が第１付勢機構５５により第１当接面５１１に付勢されるとともにスリーブハウジング２２２の第２流体動圧軸受面２２６が第２付勢機構５６により第２当接面５２１に付勢された状態で、移動規制部５４によりスリーブ保持部５１の移動が規制されて軸受面間距離が精度良く決定され、スリーブ２２１のスリーブハウジング２２２内への挿入が停止される（ステップＳ１５）。
【００８０】
スリーブ２２１の挿入が停止されると、スリーブ２２１およびスリーブハウジング２２２が所定の時間だけ保持されることにより嫌気性の接着剤２２０が硬化し、スリーブ２２１がスリーブハウジング２２２の内側面２２２１に固定（接着）される（ステップＳ１６）。スリーブユニット２２ａでは、スリーブ２２１のスリーブハウジング２２２内への挿入により第２流体動圧軸受面２２６側へと押し出された接着剤２２０が、スリーブハウジング内周縁において、スリーブハウジング２２２のスリーブハウジング傾斜面２２２２とスリーブ２２１の外側面２２１３との間に形成された凹部２２３に収容される。そして、接着剤２２０の凹部２２３に収容された部分に紫外線等が照射されて硬化され、スリーブユニット２２ａの製造が終了する（ステップＳ１７）。
【００８１】
以上に説明したように、他の例に係るモータのスリーブユニット２２ａの製造においても、第１の実施の形態と同様に、スリーブ２２１が第１流体動圧軸受面２２５とは反対側からスリーブハウジング２２２内に挿入されるため、接着剤２２０が第１流体動圧軸受面２２５に付着することを防止することができる。スリーブユニット２２ａでは、スリーブハウジング２２２のスリーブハウジング内周縁が角部が除去された形状とされて凹部２２３が形成されることにより、第１流体動圧軸受面２２５とは反対側において、接着剤２２０がスリーブ２２１およびスリーブハウジング２２２の端面に溢れることを防止する、または、接着剤２２０の盛り上がりを抑制することができる。その結果、第１の実施の形態と同様に、スリーブハウジング２２２の第２流体動圧軸受面２２６に接着剤２２０が付着することを防止することができる。
【００８２】
スリーブユニット２２ａの製造では、接着剤２２０の凹部２２３に収容されて硬化された部分が、スリーブハウジング２２２の上端側（すなわち、第２流体動圧軸受面２２６側）において楔の役割を果たすため、スリーブハウジング２２２に加えられる上向きの荷重に対して、スリーブ２２１とスリーブハウジング２２２との接着強度を高めることができる。
【００８３】
スリーブユニット２２ａの製造では、第１の実施の形態と同様に、スリーブハウジング２２２の下端部近傍の肉厚が上端部近傍の肉厚よりも薄くされているため、スリーブ２２１をスリーブハウジング２２２内に容易に挿入することができる。また、スリーブ２２１のスリーブハウジング２２２への固定に嫌気性の接着剤２２０が用いられているため、スリーブユニット２２ａの製造を簡素化することができる。さらには、嫌気性の接着剤２２０に代えて熱硬化性の接着剤が用いられる場合も、スリーブユニット２２ａの製造を簡素化することができる。
【００８４】
図９は、さらに他の好ましいスリーブユニットの例を示す縦断面図である。図９に示すスリーブユニット２２ｂでは、スリーブ２２１のスリーブ上部外周縁、および、スリーブハウジング２２２のスリーブハウジング内周縁の双方が、角部が除去された形状とされる。スリーブユニット２２ｂでも、スリーブ２２１のスリーブハウジング２２２内への挿入時に押し出された接着剤２２０が凹部２２３に収容されるため、第１流体動圧軸受面２２５とは反対側において、接着剤２２０がスリーブ２２１およびスリーブハウジング２２２の端面に溢れることを防止する、または、接着剤２２０の盛り上がりを抑制することができる。その結果、スリーブユニット２２ｂの第１流体動圧軸受面２２５および第２流体動圧軸受面２２６に対する接着剤２２０の付着を防止することができる。
【００８５】
次に、本発明の第２の実施の形態に係るモータについて説明する。図１０は、モータ１の一部を拡大して示す縦断面図であり、図４に対応する図である。図１０のモータ１では、図４のモータ１と比較してスリーブユニット２２の構造のみが相違している。他の構成は図４と同様であり、同符号を付している。
【００８６】
図１０に示すモータ１では、スリーブ２２１の中心軸Ｊ１方向における上側の中心軸Ｊ１に垂直な端面２２７が、スリーブハウジング２２２の上側の端面（ロータハブ３１の円板部３１２に対向する端面）よりも僅かに上方に位置している。スリーブ２２１の上側の端面２２７、および、下側の中心軸Ｊ１に垂直な端面２２５には、ロータ部３の回転時に潤滑油に対して中心軸Ｊ１側に向かう圧力を発生させるための溝が形成されており、ロータハブ３１の円板部３１２の下面と端面２２７との間の間隙４１ａ、および、端面２２５とスラストプレート３１４の上面との間の間隙４３（すなわち、第１下部間隙４３）によりスラスト動圧軸受部が構成される。このように、本実施の形態では、スリーブ２２１の下側の端面２２５が第１の実施の形態と同様に「第１流体動圧軸受面２２５」とされ、上側の端面２２７が図４中のスリーブハウジング２２２の上側の端面２２６に代えて「第２流体動圧軸受面２２７」とされる。
【００８７】
図１０中の第２下部間隙４４、第１下部間隙４３、側部間隙４２および間隙４１ａに連続して充填される潤滑油は、図４のモータ１と同様に、外側間隙４５において形成されるテーパシールにより、軸受機構内に保持される。また、側部間隙４２の互いに対向する面（すなわち、スリーブ２２１の内側面とシャフト３１１の外側面）の一方には、潤滑油に流体動圧を発生させるための溝が形成されており、側部間隙４２によりラジアル動圧軸受部が構成される。
【００８８】
スリーブハウジング２２２の上部には、スリーブユニット２２の外周に沿って中心軸Ｊ１に対して外側に突出する突起部であるフランジ部２２４が一体的に形成されており、スリーブハウジング２２２の上端部近傍の肉厚が下端部近傍の肉厚よりも厚くなっている。また、フランジ部２２４のベースプレート２１側の部分である係合部２２４ａとベースプレート２１のスリーブ取付部２１６の先端とが上下方向に関して係合して、スリーブハウジング２２２の下端部近傍がベースプレート２１に取り付けられる。なお、スリーブユニット２２の下端側の開口は、略円板状のシールキャップ２３により閉塞される。
【００８９】
次に、図１０のスリーブユニット２２の製造について説明する。図１１は、スリーブユニット２２を製造するスリーブユニット製造装置５ａを示す断面図である。図１１に示すように、スリーブユニット製造装置５ａは、スリーブ２２１を保持するスリーブ保持部５１ａ、スリーブ２２１の中心軸Ｊ１（すなわち、製造後におけるスリーブユニット２２の中心軸Ｊ１）を中心としてスリーブハウジング２２２を保持するスリーブハウジング保持部５２ａ、スリーブハウジング２２２のスリーブ２２１とは反対側に配置され、中心軸Ｊ１方向に関してスリーブ２２１に対向する円柱状の第１位置決め部材５７、並びに、スリーブハウジング保持部５２ａの周囲を囲むとともに中心軸Ｊ１を中心とする円筒状の円筒部材５９を備える。
【００９０】
なお、本実施の形態においても、スリーブ保持部５１ａに保持されたスリーブ２２１を、スリーブハウジング２２２内に挿入して固定することによりスリーブユニット２２が形成され、図１１に示すスリーブユニット製造装置５ａでは、スリーブ２２１およびスリーブハウジング２２２が、図１０のモータ１のベースプレート２１に取り付けられた状態とは上下反対に保持されている。
【００９１】
スリーブ保持部５１ａは、スリーブ２２１の第１流体動圧軸受面２２５を吸引吸着により保持する保持部材５１２、および、保持部材５１２と支持板５３１との間に設けられる弾性部材であるコイルばね５１３を有し、スリーブ２２１は中心軸Ｊ１方向に関して第２流体動圧軸受面２２７を第１位置決め部材５７に対向させて保持される。スリーブハウジング保持部５２ａは、第１位置決め部材５７の周囲に配置される弾性部材であるコイルばね５２４、および、コイルばね５２４のスリーブ保持部５１ａ側に取り付けられる環状の保持部材５２３を有する。スリーブハウジング２２２はフランジ部２２４側の端面が保持部材５２３に当接して支持される。
【００９２】
また、スリーブ保持部５１ａの周囲には略円筒状の第２位置決め部材５８が設けられ、スリーブハウジング保持部５２ａ側の端部の内周縁には、環状の切欠部５８１が形成される。第２位置決め部材５８は支持板５３１に固定され、支持板５３１には移動機構５３のシャフトが接続される（シャフトのみを図示する。）。移動機構５３により支持板５３１が中心軸Ｊ１に沿って移動することにより、スリーブ保持部５１ａおよび第２位置決め部材５８が一体的にスリーブハウジング保持部５２ａおよび円筒部材５９に対して中心軸Ｊ１方向に相対的に移動する。また、第２位置決め部材５８のスリーブハウジング保持部５２ａ側の端面５８２上には、円柱状の２つの移動規制部５４が設けられ、移動規制部５４が円筒部材５９に当接することにより、移動機構５３によるスリーブ保持部５１ａおよび第２位置決め部材５８の移動が規制される（すなわち、移動範囲が制限される）。
【００９３】
次に、図１０のスリーブユニット２２の製造の流れについて図６を参照しつつ説明する。スリーブユニット製造装置５ａによりスリーブユニット２２が製造される際には、まず、スリーブハウジング２２２の内側面２２２１（スリーブ２２１の外側面であってもよい。）に接着剤２２０が塗布される（ステップＳ１１）。続いて、スリーブ２２１が、第１流体動圧軸受面２２５を保持部材５１２に当接させるとともに、第２流体動圧軸受面２２７を第１位置決め部材５７に対向させてスリーブ保持部５１ａにより吸着保持される（ステップＳ１２）。また、スリーブハウジング２２２が、フランジ部２２４側の端面を保持部材５２３に当接させてスリーブハウジング保持部５２ａにより保持される（ステップＳ１３）。
【００９４】
スリーブ２２１およびスリーブハウジング２２２が保持されると、移動機構５３によりスリーブ保持部５１ａおよび第２位置決め部材５８がスリーブハウジング保持部５２ａに近づけられ、スリーブハウジング２２２内へのスリーブ２２１の挿入が開始される（ステップＳ１４）。このとき、スリーブ２２１は、第２流体動圧軸受面２２７側からスリーブハウジング２２２内に挿入される。
【００９５】
やがて、スリーブハウジング２２２内に挿入されたスリーブ２２１の第２流体動圧軸受面２２７が、第１位置決め部材５７のスリーブ保持部５１ａ側の面（以下、「第１当接面」という。）５７１に当接し、支持板５３１の移動に伴ってスリーブ保持部５１ａのコイルばね５１３がスリーブ２２１および保持部材５１２を介して第１位置決め部材５７により押圧されることにより、コイルばね５１３が弾性変形するとともにスリーブ２２１の第２流体動圧軸受面２２７が第１位置決め部材５７の第１当接面５７１に向かって中心軸Ｊ１に沿って付勢される。
【００９６】
また、スリーブ２２１の第１位置決め部材５７への当接と前後して、スリーブハウジング２２２の係合部２２４ａにおいて中心軸Ｊ１方向に関してスリーブハウジング保持部５２ａとは反対側を向く面（すなわち、中心軸Ｊ１に垂直な方向の幅がごく僅かな環状面）が、第２位置決め部材５８の端面５８２（以下、「第２当接面５８２」とも呼ぶ。）に当接する。そして、支持板５３１の移動に伴ってスリーブハウジング保持部５２ａのコイルばね５２４がスリーブハウジング２２２および保持部材５２３を介して第２位置決め部材５８により押圧されることにより、コイルばね５２４が弾性変形するとともにスリーブハウジング２２２の係合部２２４ａが第２位置決め部材５８の第２当接面５８２に向かって中心軸Ｊ１に沿って付勢される。
【００９７】
スリーブユニット製造装置５ａでは、図１２に示すように、円筒部材５９上に設けられた規制部受部５９１に移動規制部５４の先端が当接することにより、スリーブ保持部５１ａおよび第２位置決め部材５８の移動が規制されてスリーブ２２１のスリーブハウジング２２２内への挿入が停止される（ステップＳ１５）。
【００９８】
スリーブユニット製造装置５ａでは、第１位置決め部材５７の第１当接面５７１と第２位置決め部材５８の第２当接面５８２との間の中心軸Ｊ１方向に関する距離が、モータ１における所定の設計値に等しくなったときに支持板５３１の移動が規制されるように移動規制部５４の中心軸Ｊ１方向の長さが決定されている。
【００９９】
スリーブ保持部５１ａおよび第２位置決め部材５８の移動が規制されると、第１の実施の形態と同様に、図１２の状態が所定の時間（例えば、２分間）だけ保持され、スリーブ２２１の外側面２２１３とスリーブハウジング２２２の内側面２２２１との間において外気との接触が断たれた嫌気性の接着剤が硬化し、スリーブ２２１がスリーブハウジング２２２の内側面２２２１に固定（接着）される（ステップＳ１６）。
【０１００】
図１２のスリーブユニット２２においても、図３のスリーブユニット２２と同様に、スリーブ２２１のスリーブハウジング２２２内への挿入により第２流体動圧軸受面２２７側へと押し出された接着剤２２０（図３参照）が、第２流体動圧軸受面２２７の外側において、スリーブ２２１の第１スリーブ傾斜面２２１１とスリーブハウジング２２２の内側面２２２１との間に形成された凹部２２３に収容される。そして、接着剤２２０の凹部２２３に収容された部分に紫外線等が照射されて硬化され、スリーブユニット２２の製造が終了する（ステップＳ１７）。
【０１０１】
以上に説明したように、図１０のスリーブユニット２２の製造では、スリーブ２２１をスリーブハウジング２２２内に挿入して接着する際に、スリーブ２２１の端面２２７（図１１および図１２では下側の端面２２７）が第１位置決め部材５７の第１当接面５７１に当接しつつ第１当接面５７１に向かって付勢され、スリーブハウジング２２２の係合部２２４ａにおいてスリーブ２２１の端面２２７の中心軸Ｊ１方向の向きとは反対側を向く環状面が、第２位置決め部材５８の第２当接面５８２に当接しつつ第２当接面５８２に向かって付勢される。これにより、スリーブ２２１の端面２２７の第１位置決め部材５７に対する位置、および、スリーブハウジング２２２の係合部２２４ａにおける環状面の第２位置決め部材５８に対する位置を維持しつつ、スリーブ２２１をスリーブハウジング２２２の内側面に接着してスリーブユニット２２を適切に製造することが実現される。また、移動規制部５４により、接着時における第１位置決め部材５７と第２位置決め部材５８との間の中心軸Ｊ１方向の距離が一定に保たれることにより、スリーブユニット２２をベースプレート２１に固定する際における基準面でもある係合部２２４ａの環状面とスリーブ２２１の上側の端面２２７との間の中心軸Ｊ１方向の距離を一定にして、ベースプレート２１とロータハブ３１の円板部３１２との間の中心軸Ｊ１方向の距離および平行度のばらつきを抑制することができる。
【０１０２】
スリーブユニット２２の製造では、スリーブ２２１が第１流体動圧軸受面２２５とは反対側からスリーブハウジング２２２内に挿入されるため、接着剤２２０が第１流体動圧軸受面２２５に付着することを防止することができる。さらに、図１０のスリーブ２２１の上部外周縁が角部が除去された形状とされ、スリーブ２２１の挿入により押し出された接着剤２２０が確実に収容される凹部２２３（図３参照）が形成されることにより、第２流体動圧軸受面２２７に接着剤２２０が付着することも防止することができる。その結果、スリーブ２２１の両端面が流体動圧軸受面とされるスリーブユニットを有するモータの品質を安定させることができる。なお、図１０のスリーブユニット２２においても、図８および図９と同様の形状の凹部２２３が形成されてもよい。
【０１０３】
また、図１０におけるスリーブハウジング２２２の上端部（図１２における下端部）近傍の外周部は、モータの流体動圧軸受機構においてテーパシール用の外側間隙４５を構成する部分の一部であり、スリーブハウジング２２２の上端部が他の部位に比べて厚肉とされているため、スリーブユニット２２の製造の際には、スリーブハウジング２２２の上端部とは反対側の薄肉の下端部側からスリーブ２２１がスリーブハウジング２２２内に滑らかに挿入される。これにより、モータにおいて潤滑油の流出を防止するテーパシールを構成することが可能なスリーブユニット２２を容易に製造することができる。
【０１０４】
以上、本発明の実施の形態について説明してきたが、本発明は上記実施の形態に限定されるものではなく、様々な変更が可能である。
【０１０５】
上記第２の実施の形態では、スリーブユニット２２の製造において、スリーブ２２１の上側の端面２２７、および、スリーブハウジング２２２の係合部２２４ａにおける面であってスリーブ２２１の端面２２７とは反対側を向く環状面のそれぞれが位置決めの基準面とされるが、係合部２２４ａの環状面に代えて、例えば、スリーブハウジング２２２のフランジ部２２４とは反対側の端部において、シールキャップ２３と中心軸Ｊ１方向に関して当接する面が基準面とされ、スリーブユニット２２が製造されてもよい。また、軸受機構の設計によっては、スリーブの中心軸Ｊ１方向の一の端面が内周側から外周側に向かって傾斜した傾斜面とされてもよく（モータの設計によっては、当該傾斜面が流体動圧軸受面とされてもよい。）、この場合、当該傾斜面の一部が位置決めの基準とされる。
【０１０６】
以上のように、スリーブの外側面をスリーブハウジング２２２の内側面に接着する際には、スリーブ２２１をスリーブハウジング２２２内に挿入した状態で、スリーブ２２１の中心軸Ｊ１方向における一方の端部または他方の端部を、一の位置決め部材に当接させるとともに当該一の位置決め部材に向かって中心軸Ｊ１に沿って付勢し、中心軸Ｊ１方向に関してスリーブ２２１に対する付勢方向とは反対側を向くスリーブハウジング２２２の面を、他の位置決め部材に当接させるとともに当該他の位置決め部材に向かって中心軸Ｊ１に沿って付勢することが重要となる。これにより、スリーブ２２１の当該一の位置決め部材に対する位置、および、スリーブハウジング２２２の当該他の位置決め部材に対する位置を維持しつつ、スリーブ２２１をスリーブハウジング２２２の内側面に適切に接着してスリーブユニット２２を製造することが実現される。なお、スリーブ２２１およびスリーブハウジング２２２の位置決め部材に向けての付勢は、コイルばね以外に、圧空等を利用する機構により実現されてもよい。
【０１０７】
スリーブ上部外周縁および／またはスリーブハウジング内周縁は、断面が円弧状となるＲ面取りされた形状とされてもよく、中心軸Ｊ１を中心とする環状の傾斜面を有する他の面取り形状とされてもよい。また、スリーブ２２１が無垢材である場合等、スリーブ上部外周縁は、面取り加工されることにより角部が除去された形状とされる。
【０１０８】
上記実施の形態に係るスリーブユニットの製造では、スリーブハウジング２２２の内側面２２２１、および／または、スリーブ２２１の外側面２２１３に対する接着剤２２０の塗布前に、両側面にプライマ等の下地処理材料が塗布されてもよい。これにより、スリーブユニットでは、スリーブ２２１とスリーブハウジング２２２との接着強度および密着性が向上される。
【０１０９】
上記実施の形態に係るモータは、必ずしも界磁用磁石３４が電機子２４の中心軸Ｊ１側に配置された、いわゆる、インナーロータ型である必要はなく、界磁用磁石３４が電機子２４の外側に配置されたアウターロータ型であってもよい。また、軸受機構は、例えば、空気を流体とした、いわゆるエア動圧軸受を用いてもよい。このような場合であっても、本発明と同様の作用、効果を得ることができる。
【０１１０】
上記実施の形態に係るモータは、ハードディスク装置以外の他の装置（例えば、リムーバブルディスク装置等のディスク駆動装置）の駆動源として利用されてよい。
【図面の簡単な説明】
【０１１１】
【図１】第１の実施の形態に係る記録ディスク駆動装置の内部構成を示す図である。
【図２】モータの構成を示す縦断面図である。
【図３】スリーブユニットの一部を示す拡大図である。
【図４】モータの一部を示す拡大図である。
【図５】スリーブユニット製造装置を示す断面図である。
【図６】スリーブユニットの製造の流れを示す図である。
【図７】スリーブユニット製造装置を示す断面図である。
【図８】スリーブユニットの一部を示す縦断面図である。
【図９】スリーブユニットの一部を示す縦断面図である。
【図１０】第２の実施の形態に係るモータの一部を示す縦断面図である。
【図１１】スリーブユニット製造装置を示す断面図である。
【図１２】スリーブユニット製造装置を示す断面図である。
【符号の説明】
【０１１２】
１    モータ
２    ステータ部
３    ロータ部
２１    ベースプレート
２２    スリーブユニット
２４    電機子
３４    界磁用磁石
４５    外側間隙
５１    スリーブ保持部
５２    スリーブハウジング保持部
５７，５８    位置決め部材
２２０    接着剤
２２１    スリーブ
２２２    スリーブハウジング
２２３    凹部
２２４    フランジ部
２２５    第１流体動圧軸受面
２２６，２２７    第２流体動圧軸受面
３１１    シャフト
２２１１    第１スリーブ傾斜面
２２１３    外側面
２２２１    内側面
２２２２    スリーブハウジング傾斜面
Ｊ１    中心軸
Ｓ１１〜Ｓ１７    ステップ
【図１】
2006292164.tif 000003
【図２】
2006292164.tif 000004
【図３】
2006292164.tif 000005
【図４】
2006292164.tif 000006
【図５】
2006292164.tif 000007
【図６】
2006292164.tif 000008
【図７】
2006292164.tif 000009
【図８】
2006292164.tif 000010
【図９】
2006292164.tif 000011
【図１０】
2006292164.tif 000012
【図１１】
2006292164.tif 000013
【図１２】
2006292164.tif 000014